(57)【要約】【課題】ユーザの利便性を考慮しつつ、画像の投影を行いながら音声出力機器により音声を出力ことができる電子機器を提供する。【解決手段】画像を投影する投影部４０と、音声を出力する音声出力機器を装着するインタフェース６０と、前記インタフェースに前記音声出力機器が装着されたことを検出する検出部１００と、前記検出部により前記音声出力機器の装着が検出されたときに、前記投影部を起動させる投影制御部４３と、前記画像に音声が付加されている場合に前記音声出力機器から音声出力を行う音声制御部１００とを備える。【選択図】図５
2010098417.tif 000002
【特許請求の範囲】
【請求項１】
画像を投影する投影部と、
音声を出力する音声出力機器を装着するインタフェースと、
前記インタフェースに前記音声出力機器が装着されたことを検出する検出部と、
前記検出部により前記音声出力機器の装着が検出されたときに、前記投影部を起動させる投影制御部と、
前記画像に音声が付加されている場合に前記音声出力機器から音声出力を行う音声制御部と
を備えることを特徴とする電子機器。
【請求項２】
前記検出部により前記音声出力機器の装着が検出されたときに、当該音声出力機器の種別を選択するための種別選択画面を表示部に表示する表示制御部と、
前記音声出力機器の種別を選択する機器種別選択部と
を備えることを特徴とする請求項１記載の電子機器。
【請求項３】
前記表示制御部は、前記機器種別選択部により選択された前記種別に対応する前記音声出力機器の音量の調節を行うための音量調節画面を前記表示部に表示し、
前記音声出力機器の音量の設定を行う音量設定部を備えることを特徴とする請求項２記載の電子機器。
【請求項４】
内蔵スピーカを備え、
前記音声制御部は、前記音声出力機器が前記インタフェースから取外されたときに、前記音量設定部により設定された音量に関わらず前記内蔵スピーカから所定の音量で音声出力を行うことを特徴とする請求項３記載の電子機器。
【請求項５】
内蔵電池の残量を検出する残量検出部を備え、
前記音声制御部は、前記残量検出部により検出された残量が所定の閾値以下である場合に、前記音声出力機器の音量を下げるよう調節することを特徴とする請求項３又は４記載の電子機器。
【請求項６】
前記電子機器は、被写体光を撮像する撮像部を備えたカメラであることを特徴とする請求項１〜５の何れか一項に記載の電子機器。
【請求項７】
前記投影制御部は、前記音声出力機器が前記インタフェースから取外されたときに、前記投影部による投影を終了することを特徴とする請求項１〜６の何れか一項に記載の電子機器。
【発明の詳細な説明】
【技術分野】
【０００１】
本発明は、プロジェクタ機能を備えた電子機器に関するものである。
【背景技術】
【０００２】
従来、プロジェクタ機能を備えたカメラが存在する(特許文献１参照)。このカメラは、撮影した画像を投影しながら、カメラに接続したスピーカにより撮影時の音声を再生することができる。
【特許文献１】特開平０６−８６１０８号公報
【発明の開示】
【発明が解決しようとする課題】
【０００３】
ところで、上記のようなカメラの場合、ユーザは、撮影を行う場合には撮影モード、画像を投影するプロジェクタモードに切り替える操作を行なわなければならない。そのため、ユーザは、画像を投影し、スピーカやイヤホン等の音声出力機器で音声を楽しみたい場合には、プロジェクタモードへの切替操作と音声出力機器をカメラに装着する操作を行わなければならない。
【０００４】
本発明の目的は、ユーザの利便性を考慮しつつ、画像の投影を行いながら音声出力機器により音声を出力ことができる電子機器を提供することである。
【課題を解決するための手段】
【０００５】
本発明の電子機器は、画像を投影する投影部と、音声を出力する音声出力機器を装着するインタフェースと、前記インタフェースに前記音声出力機器が装着されたことを検出する検出部と、前記検出部により前記音声出力機器の装着が検出されたときに、前記投影部を起動させる投影制御部と、前記画像に音声が付加されている場合に前記音声出力機器から音声出力を行う音声制御部とを備える。
【発明の効果】
【０００６】
本発明に係る電子機器は、ユーザが煩雑な操作を行うことなく、画像の投影を行いながら音声出力機器により音声を出力ことができる。
【発明を実施するための最良の形態】
【０００７】
以下、本発明の第１の実施形態に係るプロジェクタ機能を有するカメラについて説明する。図１は、本実施形態に係るカメラの外観を示す斜視図である。カメラ２は、アルミニウム板金等の金属からなる前カバー４及び後カバー６を備え、前カバー４には、撮影窓８、プロジェクタ投影窓１０、フラッシュ光が射出されるフラッシュ窓１２が設けられている。
【０００８】
また、カメラ２の上部には、電源スイッチ１４、レリーズ動作を指示するシャッタボタン１６、カメラ撮影を行う撮影モードとプロジェクタ投影を行うプロジェクタモードとを切り替えるモード切替ボタン１８、プロジェクタ投影時の投影画像のピント調整を行うための操作レバーであるプロジェクタフォーカスレバー２０等が設けられている。また、カメラ２の側面には、音声を出力する音声出力機器を装着するための音声出力Ｉ／Ｆ２２が設けられている。本実施形態では、図２及び図３に示すように、スピーカ３ａやイヤホン３ｂの音声出力機器を音声出力Ｉ／Ｆ２２に接続することができる。
【０００９】
図４は、カメラ２の背面図である。後カバー６には、撮影画像やメニュー画像等の表示を行う液晶ディスプレイ２４、液晶ディスプレイ２４に表示された撮影条件などを選択するマルチセレクタ等を備える操作ボタン２６が設けられている。
【００１０】
次に、図５のブロック図を用いて、カメラ２のシステム構成について説明する。同図に示すように、カメラ２は、液晶ディスプレイ２４、撮像ユニット３０、プロジェクタユニット４０、内蔵スピーカ５０、音声出力Ｉ／Ｆ６０、操作部７０、画像データを記憶するＳＤカード等で構成されたメモリーカード８０、カメラ２の各部に電力を供給する電池９０、及び制御部１００を含んで構成されている。
【００１１】
撮像ユニット３０は、撮像素子３１、撮影光学系３２、レンズ駆動部３３、及び撮像制御部３４を含んで構成される。撮像素子３１は、ＣＣＤやＣＭＯＳで構成され、被写体を撮像して撮像信号を出力する。撮影光学系３２は、フォーカスレンズやズームレンズを含んで構成され、レンズ駆動部３３は、撮影制御部３４からのフォーカス調節指示やズーム調節指示に基づいて、撮影光学系３２の所定のレンズを光軸方向に駆動させる。撮像制御部３４は、制御部１００からの指示に応じて、レンズ駆動部３３により撮影光学系３２を駆動し、撮像素子３１から出力された撮像信号に対して画像処理を行い、画像処理後の画像データを制御部１００に送出する。
【００１２】
プロジェクタユニット４０は、液晶パネル４１、ＬＥＤ４２、投影制御部４３、及び投影用画像の光学像を投影する投影レンズを含む投影光学系(不図示)により構成される。液晶パネル４１は、ＬＣＯＳ等の反射型液晶パネルであり、投影用画像の表示を行う。ＬＥＤ４２は、発光ダイオードで構成された投影用の光源である。
【００１３】
投影制御部４３は、制御部１００からの投影指示に応じて、所定の発光量でＬＥＤ４２を点灯させ、液晶パネル４１に投影用画像を表示し、投影光学系を介して、投影用画像の光学像をプロジェクタ投影窓１０から投影する。
【００１４】
内蔵スピーカ５０は、投影用画像データに対応づけられている音声や音楽等を所定の音量で出力する。音声出力Ｉ／Ｆ６０は、スピーカ３ａやイヤホン３ｂの音声出力機器を接続するためのインタフェースであり、音声信号を音声出力機器に送出する。
【００１５】
また、操作部７０は、電源スイッチ１４、シャッタボタン１６、モード切替ボタン１８、操作ボタン２６等を含んで構成されており、ユーザ操作を受付ける。制御部１００は、ＲＯＭ及びＲＡＭ等のメモリを含むＣＰＵで構成されており、ＲＯＭに記憶されたプログラムを実行することによりカメラ２の各部を制御する。
【００１６】
以下、本実施形態に係るカメラ２の動作について説明する。図６は、カメラ２が撮影モードに設定されている場合におけるモード切替処理を示す動作フロー図を示している。なお、以下の動作説明においては、ユーザによりカメラ２の電源がＯＮに設定され、電源がＯＮに設定された時点では撮影モードに設定されているものとする。また、メモリーカード８０に記憶されている画像データについて投影を行い、投影用画像データには音声データが対応づけられているものとする。
【００１７】
制御部１００は、音声出力Ｉ／Ｆ６０に音声出力機器が装着されたことを検出した場合(ステップＳ１１：Ｙ)、撮影モードを終了してプロジェクタモードに切替え、投影制御部４３によりプロジェクタユニット４０を起動させる(ステップＳ１２)。
【００１８】
制御部１００は、ステップＳ１１において検出した音声出力機器の種別をユーザに選択させるための種別選択画像を液晶ディスプレイ２４に表示する(ステップＳ１３)。ここで、図７は、液晶ディスプレイ２４に種別選択画像を表示した種別選択画面の例を示している。図７に示すように、液晶ディスプレイ２４には、スピーカ３ａとイヤホン３ｂの何れかの種別を選択するためのチェックボックス２４ａと、スピーカ３ａ及びイヤホン３ｂの現在設定されている各音量を示す情報２４ｂとが表示される。ユーザは、操作ボタン２６を用いてチェックボックス２４ａを反転させることにより、音声出力Ｉ／Ｆ６０に装着されている音声出力機器の種別を選択する。
【００１９】
図６に戻り、種別選択画面において、ユーザが操作ボタン２６を介してスピーカ３ａを選択する操作を行った場合(ステップＳ１４：Ｙ)、制御部１００は、スピーカ３ａの音量調節をユーザが行うための音量調節画像を液晶ディスプレイ２４に表示する(ステップＳ１５)。また、ステップＳ１４において、ユーザが操作ボタン２６を介してイヤホン３ｂを選択する操作を行った場合(ステップＳ１４：Ｎ)、制御部１００は、イヤホン３ｂの音量調節をユーザが行うための音量調節画像を液晶ディスプレイ２４に表示する(ステップＳ１６)。そして、液晶ディスプレイ２４に表示された音量調節画面において、ユーザが操作ボタン２６を介して音量調節操作を行った場合に(ステップＳ１７：Ｙ)、制御部１００は、ユーザによる音量調節操作に従い、ステップＳ１４において選択された音声出力機器の種別に対する音量を設定する(ステップＳ１８)。図８は、ステップＳ１４において選択された音声出力機器の種別がスピーカ３ａである場合の音量調節画面の表示例を示している。
【００２０】
図６に戻り、ユーザが操作ボタン２６を介して投影用画像の選択操作を行った場合に、制御部１００は、メモリーカード８０から投影用画像データを読み出して投影制御部４３に送出し、投影制御部４３により投影用画像データに基づく光学像の投影を行う。また、制御部１００は、音声出力Ｉ／Ｆ６０に接続された音声出力機器に対し、投影用画像データに対応づけられた音声データの音声信号をステップＳ１８において設定した音量で出力する(ステップＳ１９)。
【００２１】
なお、制御部１００は、音声出力Ｉ／Ｆ６０に音声出力機器が装着されなかった場合には(ステップＳ１１：Ｎ)、撮影モードの状態で待機する。また、ステップＳ１７において、音量調節操作が行われなかった場合には(ステップＳ１７：Ｎ)、投影制御部４３により投影用画像データに基づく光学像を投影し、投影用画像データに対応づけられた音声データの音声信号を、音声出力Ｉ／Ｆ６０に接続された音声出力機器に予め設定されている音量で当該音声出力機器により出力する(ステップＳ１９)。なお、各音声出力機器が音声出力Ｉ／Ｆ６０から取外される前に設定されていた音量を記憶し、音量調節操作が行われなかった場合の音声出力機器の音量として、前回設定されていた音量を用いてもよい。
【００２２】
次に、図９の動作フロー図を用いて、カメラ２がプロジェクタモードに設定されている場合におけるモード切替選択処理について説明する。なお、以下の動作説明において、カメラ２は、上述したモード切替処理又はモード切替ボタン１８のユーザ操作によりプロジェクタモードに設定されており、音声出力Ｉ／Ｆ６０には音声出力機器が装着されているものとする。
【００２３】
制御部１００は、ユーザからの操作ボタン２６を介した投影用画像の選択操作に応じて、メモリーカード８０から投影用画像データを順次読み出し、投影制御部４３を介して投影用画像データに基づく光学像を投影する。また、投影用画像データに対応づけられている音声データの音声信号を音声出力Ｉ／Ｆ６０に装着されている音声出力機器から出力する(ステップＳ２０)。
【００２４】
制御部１００は、音声出力Ｉ／Ｆ６０から音声出力機器が取り外されたことを検出した場合(ステップＳ２１：Ｙ)、撮影モードに切り替えるか否かをユーザに選択させるためのモード選択画像を液晶ディスプレイ２４に表示する(ステップＳ２２)。そして、液晶ディスプレイ２４に表示されたモード選択画面において、ユーザが操作ボタン２６を介して撮影モードを選択する操作を行った場合(ステップＳ２３：Ｙ)、制御部１００は、プロジェクタモードを終了して撮影モードに切替え、撮影制御部３４により撮像ユニット３０を起動する(ステップＳ２４)。
【００２５】
また、ステップＳ２３において、ユーザが操作ボタン２６を介して撮影モードを選択する操作を行わなかった場合には(ステップＳ２３：Ｎ)、制御部１００は、投影制御部４３による画像の投影を継続して行い、音声信号の出力先を内蔵スピーカ５０に切替え(ステップＳ２５)、予め設定されている内蔵スピーカ用の音量で音声信号を出力する(ステップＳ２６)。
【００２６】
なお、音声出力Ｉ／Ｆ６０から音声出力機器が取り外されなかった場合には(ステップＳ２１：Ｎ)、制御部１００は、投影制御部４３を介した投影用画像の光学像の投影と、音声出力Ｉ／Ｆ６０に装着されている音声出力機器への音声信号の出力を継続して行う。
【００２７】
上述した第１の実施形態では、カメラ２が撮影モードに設定されている場合において、音声出力Ｉ／Ｆ６０にイヤホンやスピーカを装着するだけでプロジェクタモードに切替えられるので、モード切替操作の手間を省くことができる。また、イヤホンやスピーカを装着した際に、装着した音声出力機器に対応する音量をユーザの好みに応じて設定することができる。
【００２８】
また、プロジェクタモードに設定されている場合に音声出力Ｉ／Ｆ６０から音声出力機器が取り外された場合には、プロジェクタモードを維持する選択を行うことにより、内蔵スピーカ用の音量で音声出力が行われる。そのため、カメラ２において画像の投影を行いながらイヤホンに大音量で音声信号を出力中に、イヤホンが偶然外れたとしても、ユーザが音量を小さくする操作の手間を省くことができる。
【００２９】
次に、本発明の第２の実施形態について説明する。図１０は、本実施形態に係るカメラのシステム構成図である。同図に示すように、本実施形態に係るカメラ２ａは、上述した実施形態のカメラ２と同じ構成を備え、更に、電池９０の残量を検出する電池残量検出部１１０を備える。以下の説明において、実施形態と同じ構成には実施形態と同じ符号を用い、上述した実施形態と異なる部分について説明する。
【００３０】
図１１は、本実施形態に係るカメラ２ａがプロジェクタモードに設定されている場合における音量調節処理を示す動作フロー図である。なお、以下の説明において、カメラ２ａは、上述したモード切替処理又はモード切替ボタン１８のユーザ操作によりプロジェクタモードに設定されており、音声出力Ｉ／Ｆ６０には音声出力機器が装着されているものとする。
【００３１】
制御部１００は、ユーザからの操作ボタン２６を介した画像選択操作に応じて、メモリーカード８０から投影用画像データを順次読み出し、投影制御部４３を介して投影用画像データに基づく光学像を投影し、投影用画像データに対応づけられている音声データの音声信号を音声出力Ｉ／Ｆ６０に装着されている音声出力機器から出力する(ステップＳ３１)。
【００３２】
制御部１００は、電池残量検出部１１０により電池９０の残量を検出し(ステップＳ３２)、電池残量検出部１１０により検出された電池残量が閾値以下であるか否か判断する(ステップＳ３３)。制御部１００は、ステップＳ３３において、電池残量が閾値以下であると判断した場合(ステップＳ３３：Ｙ)、音声出力機器の音量を所定量下げた音声信号を音声出力機器に出力する(ステップＳ３４)。
【００３３】
制御部１００は、ユーザにより操作ボタン２６を介して音声出力機器の音量を上げる操作がなされた場合(ステップＳ３５：Ｙ)、ユーザ操作に従って音声出力機器の音量を設定し、設定した音量の音声信号を音声出力機器に出力する(ステップＳ３６)。そして、制御部１００は、ステップＳ３５においてユーザが音量を上げる操作を行ったときから所定時間が経過したか否か判断する(ステップＳ３７)。
【００３４】
制御部１００は、所定時間が経過したと判断した場合には(ステップＳ３７：Ｙ)、ステップＳ３４に戻り、音声出力機器の音量を所定量下げた音声信号の出力を行い、ステップＳ３５以下の処理を行う。また、制御部１００は、所定時間が経過していないと判断した場合には(ステップＳ３７：Ｎ)、所定時間が経過するまでユーザによって設定された音量で音声出力機器に音声信号を出力する。
【００３５】
なお、制御部１００は、ステップＳ３３において電池残量検出部１１０により検出された電池残量が閾値以下でないと判断した場合には(ステップＳ３３：Ｎ)、電池残量検出部１１０により電池残量の検出を継続して行う。また、制御部１００は、ステップＳ３５において音声出力機器の音量を上げる操作が行われなかった場合には(ステップＳ３５：Ｎ)、画像の投影及びステップＳ３４において所定量下げられた音量で音声信号の出力を継続する。
【００３６】
上述した第２の実施形態では、画像の投影及び音声出力機器への音声信号出力を行っている際に、電池の残量が閾値以下となった場合には、音声出力機器の音量を下げて音声信号の出力を行うことができる。また、音声出力機器の音量を下げた後、ユーザは音声出力機器の音量を上げることも可能であり、そのユーザ操作から所定時間経過後には再度音量を下げるよう制御することができるので、ユーザの利便性をも考慮しながら電力の消費を低減することができる。
【００３７】
なお、上述した第１の実施形態では、プロジェクタモードにおいて音声出力機器が取り外された場合、ユーザにより撮影モードを選択する操作がなされたときに、撮影モードに切り替えるものとして説明したが、音声出力機器が取り外された時に撮影モードに切替えるようにしてもよい。
【００３８】
また、上述した第１の実施形態では、図６のステップＳ１７において選択した音声出力機器に対する音量調節を行ったか否かを判断するものとして説明したが、音量調節を行ったか否かの判断を行わないようにしてもよい。この場合には、選択された音声出力機器に予め設定されている音量、又は、各音声出力機器に前回設定されていた音量を予め記憶し、その前回設定されていた音量で音声信号の出力を行うようにする。
【００３９】
また、上述した第２の実施形態では、電池残量検出部１１０により検出された電池残量が所定の閾値以下である場合に音声出力機器の音量を下げるものとして説明したが、音声出力機器からの音声出力を停止するように制御してもよい。
【００４０】
また、上述した第２の実施形態において、電池残量の低下をユーザに知らせるために、音声出力機器の音量を自動的に下げるようにしたが、このような音量の出力レベルの低下に加えて、電池残量が少なくなっていることを示す情報を液晶ディスプレイ２４に表示したり、電池アイコンを投影画像に重畳させる等により、ユーザに電池残量に関する情報を報知するようにしてもよい。
【００４１】
また、上述した実施形態では、プロジェクタ機能を備えたカメラを用いて説明したが、プロジェクタ機能を備えた電子機器であればカメラに限らない。
【００４２】
また、上述した実施形態に係るカメラの音声出力Ｉ／Ｆ６０は、カメラ２の側面に設けられているものとして説明したが、カメラ２の底面以外の背面や前面に設けるようにしてもよい。なお、音声出力Ｉ／Ｆ６０を各面の中央より底面側の位置に設けることにより、カメラ２の底面を机等に固定させて画像の投影を行う場合に、カメラ２のふらつきを防止し、安定した状態で画像投影を行うことができる。
【図面の簡単な説明】
【００４３】
【図１】第１の実施形態に係るカメラの斜視図である。
【図２】第１の実施形態に係るカメラにスピーカを装着した場合の斜視図である。
【図３】第１の実施形態に係るカメラにイヤホンを装着した場合の斜視図である。
【図４】第１の実施形態に係るカメラの背面図である。
【図５】第１の実施形態に係るカメラのシステム構成図である。
【図６】第１の実施形態に係るカメラのプロジェクタモード切替処理を示す動作フロー図である。
【図７】第１の実施形態における種別選択画面の表示例を示す図である。
【図８】第１の実施形態における音量調節画面の表示例を示す図である。
【図９】第１の実施形態に係るカメラのモード切替選択処理を示す動作フロー図である。
【図１０】第２の実施形態に係るカメラのシステム構成図である。
【図１１】第２の実施形態に係るカメラの音量調節処理を示す動作フロー図である。
【符号の説明】
【００４４】
２，２ａ…カメラ、３ａ・・・スピーカ、３ｂ…イヤホン、１８…モード切替ボタン、２４…液晶ディスプレイ、３０…撮像ユニット、３４…撮像制御部、４０…プロジェクタユニット、４３…投影制御部、５０…内蔵スピーカ、６０…音声出力Ｉ／Ｆ、７０…操作部、８０…メモリーカード、９０…電池、１００…制御部、１１０…電池残量検出部
【図１】
2010098417.tif 000003
【図２】
2010098417.tif 000004
【図３】
2010098417.tif 000005
【図４】
2010098417.tif 000006
【図５】
2010098417.tif 000007
【図６】
2010098417.tif 000008
【図７】
2010098417.tif 000009
【図８】
2010098417.tif 000010
【図９】
2010098417.tif 000011
【図１０】
2010098417.tif 000012
【図１１】
2010098417.tif 000013